(57)【特許請求の範囲】
【請求項１】
画像を確認するために外部装置から入力された画像および該画像に付帯する付帯情報を画面上に表示する確認用画像表示方法であって、
上記画面上に画像表示部と付帯情報表示部とを設定し、
上記画像表示部では、上記入力された画像を所定数縮小画像として履歴表示し、
上記付帯情報表示部では、上記入力された付帯情報を所定数履歴表示すると共に、上記付帯情報表示部から押し出されて消えた上記付帯情報を上記付帯情報表示部をスクロールして該付帯情報表示部に再表示可能にすることを特徴とする確認用画像表示方法。
【請求項２】
上記付帯情報表示部に表示されている付帯情報の中の所定の付帯情報が選択された場合には、上記画像表示部においてその選択された所定の付帯情報に対応する画像が表示されている場合、その対応する画像を自動的に選択表示することを特徴とする請求項１記載の確認用画像表示方法。
【請求項３】
上記付帯情報表示部に表示されている付帯情報の中の所定の付帯情報が選択された場合には、上記画像表示部においてその選択された所定の付帯情報に対応する画像が表示されていない場合、その対応する画像を上記外部装置から入力された画像を記憶する記憶手段から自動的に読み出して上記画面上に表示することを特徴とする請求項１または２記載の確認用画像表示方法。
【請求項４】
上記画像表示部に表示されている画像の中の所定の画像が選択された場合には、上記付帯情報表示部に表示されている付帯情報の中の上記選択された所定の画像に対応する付帯情報を自動的に選択表示することを特徴とする請求項１〜３のいずれか１項記載の確認用画像表示方法。
【請求項５】
画像を確認するために外部装置から入力された画像および該画像に付帯する付帯情報を画面上に表示する確認用画像表示装置であって、
上記画面上に画像表示部と付帯情報表示部とが設定され、
上記入力された画像を所定数縮小画像として上記画像表示部に履歴表示させる画像表示制御手段と、
上記入力された付帯情報を所定数上記付帯情報表示部に履歴表示させると共に、上記付帯情報表示部から押し出されて消えた上記付帯情報を上記付帯情報表示部をスクロールして該付帯情報表示部に再表示させる付帯情報表示制御手段とを備えてなることを特徴とする確認用画像表示装置。
【請求項６】
上記付帯情報表示部に表示されている付帯情報の中の所定の付帯情報を選択可能な付帯情報選択手段と、該付帯情報選択手段により所定の付帯情報が選択された場合、その選択された付帯情報に対応する画像が上記画像表示部に表示されているときは、その対応する画像を自動的に選択表示させる選択表示制御手段とを備えていることを特徴とする請求項５記載の確認用画像表示装置。
【請求項７】
上記画像情報表示部に表示されている付帯情報の中の所定の付帯情報を選択可能な付帯情報選択手段と、該付帯情報選択手段により所定の付帯情報が選択された場合、その選択された付帯情報に対応する画像が上記画像表示部に表示されていないときは、その対応する画像を上記外部装置から入力された画像を記憶する記憶手段から自動的に読み出して上記画面上に表示させる選択表示制御手段とを備えてなることを特徴とする請求項５または６記載の確認用画像表示装置。
【請求項８】
上記画像表示部に表示されている画像の中から所定の画像を選択可能な画像選択手段と、該画像選択手段により所定の画像が選択された場合、上記付帯情報表示部に表示されている付帯情報の内上記選択された画像に対応する上記付帯情報を自動的に選択表示させる選択表示制御手段とを備えてなることを特徴とする請求項５〜７のいずれか１項記載の確認用画像表示装置。
【発明の詳細な説明】
【０００１】
【発明の属する技術分野】
本発明は、画像を確認するために外部装置から順次入力された画像および該画像に付帯する付帯情報を画面上に表示する確認用画像表示方法および装置に関する。
【０００２】
【従来の技術】
従来より、放射線（Ｘ線、α線、β線、γ線、電子線、紫外線等）を照射すると、この放射線エネルギの一部が蓄積され、その後可視光等の励起光を照射すると蓄積されたエネルギに応じて輝尽発光を示す蓄積性蛍光体（輝尽性蛍光体）を利用して、人体等の被写体の放射線画像情報をシート状の蓄積性蛍光体層を備えてなる蓄積性蛍光体シートに一旦記録し（放射線撮影を行い）、この蓄積性蛍光体シートにレーザ光等の励起光を走査して輝尽発光光を生じせしめ、得られた輝尽発光光を光電的に読み取って画像信号を得（放射線画像の読取りを行い）、この画像信号に基づき写真感光材料等の記録媒体、ＣＲＴ等の表示装置に被写体の放射線画像を可視像として出力させる放射線画像記録再生システムが知られている（特開昭55-12429号、同56-11395号、同56-11397号等）。
【０００３】
このような放射前画像記録再生システムを例えば大規模な病院に導入する場合、例えば、放射線科と内科や外科等の他の複数の科とをラインで接続し、放射線科において、各科からの依頼に基づき放射線撮影を行い、撮影した放射線画像の読取りを行い、読み取った放射線画像をＣＲＴ等の表示装置の画面上に表示し、目視により適正な画像であるか否か等を確認した上で、依頼元の各科に読み取った画像（画像信号）を伝送するシステムとして導入される場合がある。
【０００４】
この様なシステムにおいて、従来は、上記画像確認を行う場合、ＣＲＴの画面上に複数個（Ｎ個）の画像表示欄を設定し、外部装置である読取装置から順次入力された画像を縮小して順次画像表示欄に表示し、つまり最初の画像を第１表示欄に表示し、次の画像が入力されるとその画像を第１表示欄に表示すると共に最初の画像は第２表示欄に移動させて表示し、このように新たに画像が入力される度に画像表示欄を１つずつずらしながら順次画像を追加して表示し全ての画像表示欄が一杯になったら、以後は新たな画像が入力される度に最後の画像表示欄（第Ｎ画像表示欄）に表示されている画像が画面上から押し出されて消えて行き、このようにして最新のＮ個の画像を順次入力された順番に表示する、つまり履歴表示するようにし、放射線技師は、撮影後このＣＲＴの画面上で撮影した画像が適正であるか否か、例えば撮影方向（患者の正面撮影あるいは側面撮影）は正しいか否か、冠者の動きによる撮影ぶれはないか、あるいは濃度やコントラストは適正であるか否か等を確認し、問題なければ依頼元の科に撮影した画像を伝送するようにしている。
また、その際、各画像の下に例えば被撮影者である患者の氏名や患者のＩＤ番号等の画像に付帯する各種の付帯情報を表示するようにし、放射線技師はこの付帯情報についても適正であるか否かを確認するようにしている。これは、放射線撮影を行う場合、患者の氏名やＩＤ番号等の付帯情報を入力して撮影した画像にリンクさせるようにしているが、その場合に入力ミス等があり得るので、一応リンクさせている付帯情報が適正であるか否かについても確認し、入力ミスがあった場合には訂正した上で依頼元の科に伝送するためである。
【０００５】
【発明が解決しようとする課題】
しかしながら、このような従来の表示方法では、画面上に表示可能な画像数は縮小画像サイズと画面サイズの関係で決定されるので、その決定された枚数しか入力履歴を確認することができず、その結果、例えば放射線科に複数の撮影室があり、各撮影室に撮影装置と読取装置が設けられかつ担当の放射線技師がいる場合に、複数の撮影室の読取装置からほぼ同時にそれぞれ複数の画像が確認用画像表示装置に入力されると、ある放射線技師が自分の撮影室の読取装置から入力した画像を確認しようとしてＣＲＴ画面を見に行ったときには、既にその画像が画面上から押し出されて消えており確認することができないという虞がある。
【０００６】
また、縮小画像にて画像確認を行う場合、個々の画像の下にその画像にリンクされている患者情報や検査情報等の付帯情報を表示するようにしているが、縮小画像の下に表示することからどうしても表示領域が狭くならざるを得ず、付帯情報の全て表示することができないあるいは文字が非常に小さくなって見にくくなり、例えば入力ミス等により付帯情報が間違っていたりする等の情報に不具合がある場合、それを十分に確認することができないという虞がある。
【０００７】
本発明の目的は、上記事情に鑑み、外部装置から入力された画像を、入力後相当長時間経過後であっても、画面上で確認することのできる確認用画像表示方法および装置を提供することにある。
【０００８】
また、本発明の他の目的は、上記事情に鑑み、画面上において上記付帯情報を容易に確認することのできる確認用画像表示方法および装置を提供することにある。
【０００９】
【課題を解決するための手段】
本発明に係る確認用画像表示方法は、上記目的を達成するため、
画像を確認するために外部装置から入力された画像および該画像に付帯する付帯情報を画面上に表示する確認用画像表示方法であって、上記画面上に画像表示部と付帯情報表示部とを設定し、上記画像表示部では、上記入力された画像を所定数縮小画像として履歴表示し、上記付帯情報表示部では、上記入力された付帯情報を所定数履歴表示すると共に、上記付帯情報表示部から消えた上記付帯情報をスクロールして上記付帯情報表示部に再表示可能にすることを特徴とする。
【００１０】
上記表示方法においては、上記付帯情報表示部に表示されている付帯情報の中の所定の付帯情報が選択された場合には、上記画像表示部においてその選択された所定の付帯情報に対応する画像が表示されている場合、その対応する画像を自動的に選択表示するように構成することができる。
【００１１】
また、上記表示方法においては、上記付帯情報表示部に表示されている付帯情報の中の所定の付帯情報が選択された場合には、上記画像表示部においてその選択された所定の付帯情報に対応する画像が表示されていない場合、その対応する画像を自動的に読み出して上記画面上に表示するように構成することができる。
【００１２】
また、上記表示方法においては、上記画像表示部に表示されている画像の中の所定の画像が選択された場合には、上記付帯情報表示部に表示されている付帯情報の中の上記選択された所定の画像に対応する付帯情報を自動的に選択表示するように構成することができる。
【００１３】
本発明に係る確認用画像表示装置は、上記目的を達成するため、
画像を確認するために外部装置から入力された画像および該画像に付帯する付帯情報を画面上に表示する確認用画像表示装置であって、上記画面上に画像表示部と付帯情報表示部とが設定され、上記入力された画像を所定数縮小画像として上記画像表示部に履歴表示させる画像表示制御手段と、上記入力された付帯情報を所定数上記付帯情報表示部に履歴表示させると共に、上記付帯情報表示部から消えた上記付帯情報をスクロールして上記付帯情報表示部に再表示させる付帯情報表示制御手段とを備えてなることを特徴とする。
【００１４】
上記表示装置においては、上記付帯情報表示部に表示されている付帯情報の中の所定の付帯情報を選択可能な付帯情報選択手段と、該付帯情報選択手段により所定の付帯情報が選択された場合、その選択された付帯情報に対応する画像が上記画像表示部に表示されているときは、その対応する画像を自動的に選択表示させる選択表示制御手段とを備えた構成とすることができる。
【００１５】
また、上記表示装置においては、上記画像情報表示部に表示されている付帯情報の中の所定の付帯情報を選択可能な付帯情報選択手段と、該付帯情報選択手段により所定の付帯情報が選択された場合、その選択された付帯情報に対応する画像が上記画像表示部に表示されていないときは、その対応する画像を自動的に読み出して上記画面上に表示させる選択表示制御手段とを備えた構成とすることができる。
【００１６】
また、上記表示装置においては、上記画像表示部に表示されている画像の中から所定の画像を選択可能な画像選択手段と、該画像選択手段により所定の画像が選択された場合、上記付帯情報表示部に表示されている付帯情報の内上記選択された画像に対応する上記付帯情報を自動的に選択表示させる選択表示制御手段とを備えた構成とすることができる。
【００１７】
なお、上記履歴表示するとは、時間を異にして入力された複数の画像もしくは付帯情報を同時に表示することを意味し、例えば典型的な履歴表示方法としてそれらの画像もしくは付帯情報を入力順に順次並べて所定数同時に表示する方法を挙げることができる。また、上記画像に対応する付帯情報とは、その画像に付帯する付帯情報を意味し、上記付帯情報に対応する画像とは、その付帯情報が付帯する画像を意味する。
【００１８】
【発明の効果】
本発明に係る確認用画像表示方法および装置によれば、上述のように、画面上に、画像を縮小して複数枚履歴表示する画像表示部と、画像に付帯する付帯情報を所定数履歴表示する付帯情報表示部とを設定し、かつ、付帯情報表示部では、付帯情報表示部から押し出されて消えた付帯情報をスクロールして再表示可能にしたので、確認しようとしている画像が既に画像表示部から押し出されて消えていても、付帯情報表示部でスクロールして確認しようとしている画像の付帯情報を見ることができ、この付帯情報を手がかりにして確認しようとしている画像を読み出させて画面上に表示させ、確認することができる。
【００１９】
また、画像表示部とは別個に付帯情報表示部を設定し、付帯情報はこの付帯情報表示部に履歴表示するようにしたので、付帯情報を明確に表示することができ、付帯情報の確認も容易に行うことができる。
【００２０】
上記画像表示方法および装置においては、付帯情報表示部に表示されている付帯情報の中の所定の付帯情報が選択された場合には、画像表示部においてその選択された所定の付帯情報に対応する画像が表示されている場合、その対応する画像を自動的に選択表示するように構成すれば、画像と付帯情報の対応付を容易にかつ迅速に行うことができ、画像確認の便宜を図ることができる。
【００２１】
また、付帯情報表示部に表示されている付帯情報の中の所定の付帯情報が選択された場合には、画像表示部においてその選択された所定の付帯情報に対応する画像が表示されていない場合、その対応する画像を自動的に読み出して画面上に表示するように構成すれば、対応する画像を読み出すための操作が不要となり、容易にかつ速やかに画像確認を行うことができる。
【００２２】
また、画像表示部に表示されている画像の中の所定の画像が選択された場合には、付帯情報表示部に表示されている付帯情報の中の選択された所定の画像に対応する付帯情報を自動的に選択表示するようにすれば、画像と付帯情報の対応付を容易にかつ迅速に行うことができ、画像確認の便宜を図ることができる。
【００２３】
【発明の実施の形態】
以下、本発明の実施の形態について、図面を参照しながら詳細に説明する。
【００２４】
図１は本発明に係る確認用画像表示装置の一実施形態を示すブロック図、図２は図１に示す画面の拡大図である。
【００２５】
図示の画像表示装置は、前述の蓄積性蛍光体シートに患者の放射線画像を記録し（撮影し）、この蓄積性蛍光体シートに記録された放射線画像を読取装置で読み取って画像（画像信号）を得、この画像（画像信号）に付帯情報入力装置から入力された付帯情報をリンクさせて画像表示装置に入力し、この画像表示装置の画面上に画像と付帯情報の双方を表示し、上記撮影を行った放射線技師がこの画面上で撮影した画像を目視で確認する場合に用いる画像表示装置として本発明を適用したものである。
【００２６】
図示のように、本画像表示装置１は、ＣＲＴ等の表示手段の画面２と、該画面２上における画像および付帯情報の表示を制御する制御部３と、上記画面２上に表示された画像および付帯情報を選択する選択手段４とを備えてなり、上記制御部３は、上記画面２上における画像の表示を制御する画像表示制御手段５と、上記画像に付帯する付帯情報の表示を制御する付帯情報表示制御手段６と、上記選択手段４によって画像もしくは付帯情報が選択された場合その選択された画像に対応する付帯情報および選択された付帯情報に対応する画像を選択表示させる選択表示制御手段７と、上記画像（画像信号）および付帯情報を記憶する記憶手段８とを備えてなる。
【００２７】
上記画面２には、外部装置10から入力された画像（外部装置10から入力された画像信号に基づく画像）および該画像に付帯する付帯情報とが表示され、そのため、該画面２上には画像表示部20と付帯情報表示部30とが設定されている。画像表示部20は、図２に示すように、体動確認用のモニタ表示部21と履歴確認用のサムネイル表示部22とからなり、サムネイル表示部22には24個のサムネイル表示欄23が上下左右に並んでマトリックス状に設定されている。付帯情報表示部30は、左右方向に並んだ５つの表示欄、即ち追加情報表示欄31、患者情報表示欄32、検査情報表示欄33、シリーズ情報表示欄34および画像単位情報表示欄35に区分されている。
【００２８】
上記外部装置10は、４つの撮影室のそれぞれに配設された撮影済み（放射線画像記録済み）の蓄積性蛍光体シートから画像情報を読み取って画像（画像信号）を得る４台の読取装置11ａ〜11ｄと、各撮影室において各読取装置11ａ〜11ｄに付設された４台の付帯情報入力装置12ａ〜12ｄとで構成されている。上記読取装置11ａ〜11ｄから入力された画像（画像信号）は、それぞれの画像に付帯する上記付帯情報入力装置12ａ〜12ｄから入力された付帯情報とリンクされて一緒に画像表示装置の上記制御部３に入力される。
【００２９】
上記制御部３では、入力された画像（画像信号）とその付帯情報とが互いにリンクされたつまり互いに対応付けられた状態で上記記憶部手段８に記憶されると共に、上記画像表示制御手段５、付帯情報表示制御手段６および選択表示制御手段７により画像および付帯情報の上記画面２上での表示制御が行われる。
【００３０】
上記画像表示制御手段５は、上記外部装置10から画像（画像信号）が入力されると、この入力された画像に対して信号間引き処理あるいは補間処理等により画像信号数を減少させて縮小画像を作成する画像縮小処理を施してモニタ縮小画像と該モニタ縮小画像よりも縮小率の大きいサムネイル縮小画像とを作成し、モニタ縮小画像を上記モニタ表示部21に表示させると共に、サムネイル縮小画像をサムネイル表示部22に表示させる。即ち、入力された画像は、まずモニタ表示部21にモニタ縮小画像として表示され、次の画像が入力されるとサムネイル表示部22にサムネイル縮小画像として表示され、以後新たな画像が入力される度にサムネイル表示欄23を１つずつずらしながら表示され続け、最終のサムネイル表示欄（図中左上角部の表示欄）まで移動した後は、新たな画像が入力されるとその表示欄から押し出され、画像表示部20から消えていく。
【００３１】
上記付帯情報表示制御手段６は、上記外部装置10から付帯情報が入力されると、この入力された付帯情報を、上記付帯情報表示部30にリスト形式で入力順に順次表示する。即ち、入力された画像の付帯情報は、まず付帯情報表示部30の一番下の行に表示され、次の画像の付帯情報が入力されると１行上に移動して表示され、以後新たな画像の付帯情報が入力される度に一行上に移動して表示され続け、一番上の行まで移動した後は、新たな画像の付帯情報が入力されると付帯情報表示部30から押し出されて消えていく。但し、この付帯情報表示制御手段６は、押し出されて付帯情報表示部30から消えた付帯情報も、例えば後に説明する上記選択手段４を構成しているマウスによって入力されたスクロール指示に基づき、付帯情報表示部30をスクロールすることによって該付帯情報表示部30に再表示可能に構成されている。
【００３２】
上記画像の付帯情報とは、画像に付帯する各種の情報であり、例えば画像を撮影した年月日や、画像の被写体である患者の名前名、画像の撮影部位等、種々の情報を意味する。表示する付帯情報は特定のものに限定されるものではなく、どの様な付帯情報を表示するかは任意に決め得る。本実施形態では、上述のように、付帯情報表示部30を追加情報表示欄31、患者情報表示欄32、検査情報表示欄33、シリーズ情報表示欄34および画像単位情報表示欄35に区分し、各欄にそれぞれ追加情報、患者情報、検査情報、シリーズ情報および画像単位情報を表示するように構成されている。
【００３３】
ここで追加情報とは、他の欄に該当しない情報であって、例えばその画像を撮影した撮影室、撮影技師の名前、あるいはその画像を読み取った読取装置を示す情報等がこれに含まれる。上記患者情報とは、その画像の被写体である患者に関する情報であって、例えば患者の名前、生年月日、性別等がこれに含まれる。上記検査情報とは、検査に関する情報であり、例えば胸部検査、腹部検査等の検査の種類、あるいは検査の年月日等がこれに含まれる。上記シリーズ情報とは、画像のシリーズに関する情報であって、如何なるシリーズであるかを示すシリーズの番号やシリーズ撮影年月日等がこれに含まれる。画像のシリーズとは、１つの撮影として意味のある画像のまとまりを意味し、例えば成人病撮影においては２枚の胸部撮影（正面撮影および側面撮影）と例えば８枚の胃撮影を行うが、その場合これらの２枚の胸部画像と８枚の胃画像が１つのシリーズを構成する。上記画像単位情報とは、画像単位に関する情報、つまり個々の画像に立脚した情報を意味し、その画像の撮影メニュの名前、その画像の規格化条件等がこれに含まれる。
【００３４】
上記選択手段４は、画面２上に表示された画像および付帯情報を選択する画像選択手段兼付帯情報選択手段であり、本実施形態ではマウスにより構成され、選択しようとしている画像あるいは付帯情報にポインターを合わせてクリックすることにより、その画像あるいは付帯情報を選択する。
【００３５】
上記選択表示制御手段７は、上記選択手段４によって画像もしくは付帯情報が選択された場合その選択された画像もしくは付帯情報に対応する付帯情報もしくは画像を選択表示させるものであり、付帯情報を選択表示する場合は例えば当該付帯情報を白黒反転させて表示し、画像を選択表示する場合は、その画像が画像表示部20上に表示されている場合は例えばその画像の外縁（枠）を太くして太い黒の線で囲むことにより選択表示し、その画像が画像表示部20上に表示されていない場合は例えば選択すべき画像を上記記憶手段８から読み出して該画像を画面２上にウインドウを開きそこに表示することができる。
【００３６】
次に、上記画像（画像信号）と該画像に付帯する付帯情報が画像表示装置１に入力された場合の、該画像表示装置１における画像および付帯情報の表示について、詳細に説明する。
【００３７】
まず最初の第１画像と該第１画像の付帯情報である第１付帯情報とがリンクされて一緒に入力されると、それらがリンクされ対応付けられた状態で記憶手段８に記憶されると共に、画像表示制御手段５が、該第１画像を縮小してモニタ縮小画像を作成し、それをモニタ表示部21に表示させる。また、付帯情報表示制御手段４が、入力された第１付帯情報を付帯情報表示部30の一番下の１行30-1に表示させる。
【００３８】
次いで、次の第２画像とその付帯情報である第２付帯情報が入力されたら、それらがリンクされ対応付けられた状態で記憶手段８に記憶されると共に、画像表示制御手段５が、入力された第２画像を縮小してモニタ縮小画像を作成し、それをモニタ表示部21に表示させ、かつ第１画像を縮小してサムネイル縮小画像を作成し、それをサムネイル表示部22の第１表示欄23-1に表示させる。また、付帯情報表示制御手段６が、入力された第２付帯情報を付帯情報表示部30の一番下の１行30-1に表示させ、第１付帯情報を一行上に移動させて下から２番目の行30-2に表示させる。
【００３９】
更に、次の第３画像とその付帯情報である第３付帯情報が入力されたら、それらがリンクされ対応付けられた状態で記憶手段８に記憶されると共に、画像表示制御手段３が、入力された第３画像を縮小してモニタ縮小画像を作成し、それをモニタ表示部21に表示させ、かつ第２画像を縮小してサムネイル縮小画像を作成し、それをサムネイル表示部22の第１表示欄23-1に表示させると共に、第１画像のサムネイル縮小画像をその表示欄を図中矢印方向に移動させて第２表示欄23-2に表示させる。また、付帯情報表示制御手段６が、入力された第３付帯情報を付帯情報表示部30の一番下の１行30-1に表示させ、第２付帯情報を一行上に移動させて下から２番目の行30-2に、第１付帯情報も一行上に移動させて下から３番目の行30-3に表示させる。
【００４０】
以後、新たな画像が入力される度に同様の制御を繰り返し、最新の画像のモニタ縮小画像をモニタ表示部21に表示させると共に、先行する画像のサムネイル縮小画像を順次表示欄23の位置を矢印方向にずらしながら表示させ、かつ、最新の付帯情報を付帯情報表示部33の一番下の行33-1に表示すると共に、先行する付帯情報を一行ずつ上にすらして表示させる。
【００４１】
そして、最初の第１画像のサムネイル縮小画像が最後の第24表示欄23-24まで移動し、最初の第１付帯情報が付帯情報表示部30の一番上の行30-25まで移動した後は、その後新たな画像と付帯情報が入力される度に、最後の第24表示欄23-24に表示されているサムネイル縮小画像はサムネイル表示部22から押し出され、画面２上から消えると共に、一番上の行30-25に表示されている付帯情報も付帯情報表示部30から押し出され、画面２上から消える。
【００４２】
なお、各画像の付帯情報は、１つの画像に対して左右一行につまり横一行に表示され、その場合当然のことながら、付帯情報の内の追加情報、患者情報、検査情報、シリーズ情報および画像単位情報は、それぞれ追加情報表示欄31、患者情報表示欄32、検査情報表示欄33、シリーズ情報表示欄34および画像単位情報表示欄35に表示される。
【００４３】
また、本実施形態の上記選択手段であるマウス４はスクロール指示入力手段も兼ねており、該マウス４からスクロール指示を制御部３に入力すると、該入力を受けて選択表示制御手段７が、付帯情報表示部30をスクロールさせて該付帯情報表示部30から押し出されて消えていた付帯情報を付帯情報表示部30上に再表示させる。
【００４４】
上述のようにして画像および付帯情報が表示されている状態において、上記選択手段であるマウス４を用いて画面２上に表示された画像の内の所定の画像を選択すると、上記選択表示制御手段７が自動的に、上記付帯情報表示部30に表示されている付帯情報の内その選択された画像に対応する付帯情報を白黒反転させて選択表示させる。
【００４５】
また、上記選択手段であるマウス４を用いて画面２上に表示された付帯情報の内の所定の付帯情報を選択すると、その選択された付帯情報に対応する画像が画像表示部20に表示されている場合は、上記選択表示制御手段７が自動的に、その画像の外縁（枠）を太くして太い黒の線で囲むことによりその画像を選択表示させる。
【００４６】
また、上記選択手段であるマウス４を用いて画面２上に表示された付帯情報の内の所定の付帯情報を選択すると、その選択された付帯情報に対応する画像が画像表示部20に表示されていない場合は、例えば上述のようにマウス４を用いて付帯情報表示部30をスクロールさせることにより該付帯情報表示部30から押し出されて消えていた付帯情報を再表示させ、その再表示させた付帯情報を選択した場合（この場合は本実施形態ではその選択した付帯情報に対応する画像は画像表示部20上に表示されていない）は、上記選択表示制御手段７は自動的に、対応する画像を上記記憶手段８から読み出すと共に画面２中にウインドウを開き、読み出した画像をそのウインドウに表示させる。
【００４７】
なお、本実施形態では画像表示部20に表示可能な画像の数と付帯情報表示部30に表示可能な付帯情報の数とが同一であり、従って付帯情報をスクロールしていない限り一方が表示されている場合は他方も表示されており、かつスクロールして付帯情報を再表示させた場合は、その再表示させた付帯情報に対応する画像は画像表示部20上には表示されていない。しかしながら、本発明では画像表示部20に表示可能な画像の数と付帯情報表示部30に表示可能な付帯情報の数とは必ずしも同一である必要はなく、例えば表示可能な画像数の方が表示可能な付帯情報数よりも多くても良いし、反対に表示可能な付帯情報の数の方が表示可能な画像の数よりも多くても良い。いずれの場合も、画面２上に表示された画像の内の所定の画像を選択すると、上記選択表示制御手段７は自動的に、上記付帯情報表示部30に表示されている付帯情報の内その選択された画像に対応する付帯情報を白黒反転させて選択表示させ、画面２上に表示された付帯情報の内の所定の付帯情報を選択すると、上記選択表示制御手段７は自動的に、その選択された付帯情報に対応する画像が画像表示部20に表示されている場合は、その画像の外縁（枠）を太くして太い黒の線で囲むことによりその画像を選択表示させ、画像表示部20に表示されていない場合は、対応する画像を上記記憶手段８から読み出すと共に画面２中にウインドウを開き、その読み出した画像をそのウインドウに表示させる。
【００４８】
上記実施形態では、付帯情報を選択した場合、該選択した付帯情報に対応する画像が画像表示部20に表示されていないときは、自動的にその画像を記憶手段８から読み出して画面２上に表示するようにしているが、必ずしも自動的に読み出して表示するように構成する必要はなく、少なくとも付帯情報をスクロールして画面２上から消えている付帯情報も見れるように構成すればよい。そのように構成しておけば、画像と共に画面２上から消えてしまった付帯情報をスクロールして画面上に呼び出し、その付帯情報を手がかりにして、確認しようとしている者例えば放射線技師が画像表示装置１を操作して対応する画像を記憶手段８から読み出させて画面２上に表示させることができるので、画面２上から消えてしまった画像も容易に確認することができる。
【００４９】
なお、上記実施形態では、 画像とその付帯情報とは共に外部装置から入力されるが、その場合同一の外部装置から入力されても良いし、互いに異なる外部装置から入力されても良い。また、画像と付帯情報はリンクされて同時に入力されるようになっているが、両者は画像と付帯情報の表示に特に問題のない範囲で時間的にずれて入力されても良い。
【００５０】
また、上記本実施形態における画像および付帯情報の選択および選択表示方法は１つの例であり、本発明における画像および付帯情報の選択および選択表示方法はこの方法に限定されるものではなく、種々の方法を用い得る。
【００５１】
更に、上記実施形態における外部装置は、上述の蓄積性蛍光体シートから記録された画像情報を読み取る読取装置および付帯情報入力装置であったが、外部装置もこれに限るものではなく、本発明は他の種々の外部装置から入力される画像および付帯情報を表示するものとして構成することができる。
【図面の簡単な説明】
【図１】本発明に係る確認用画像表示装置の一実施形態を示すブロック図
【図２】画面の一例を拡大して示す図
【符号の説明】
１    画像表示装置
２    画面
３    制御部
４    選択手段
５    画像表示制御手段
６    付帯情報表示制御手段
７    選択表示制御手段
８    記憶手段
１０    外部装置
２０    画像表示部
３０    付帯情報表示部
【図１】
0004091223.tif 000002
【図２】
0004091223.tif 000003